(57)【要約】      （修正有）【課題】ビデオカメラでは、表示部が閉じた状態で、本体部のみを把持し、表示部を本体部に対して下方に向けて持ち運びをする。この際、表示部が自重によって開いた状態となってしまい、持ち運び時に周囲に不快感を与えたり、表示部を破壊したりするおそれがあった。表示部が不用意に開かない電子機器を提供する。【解決手段】表示筺体２内の吸着部品１０は、表示ユニット１２の表示部周囲の非表示部に厚み方向に重ねた位置とし、本体筺体に対して表示筺体が閉じた時、本体筺体内の磁石６と所定の空間を離れて略平行に対面し、かつ、締結ユニット１３の片方の固定部近傍の付勢手段に対して表示筺体の水平中心を挟んだ反対側の略矩形の長辺端付近に配置し、小型化と安定した付勢力、及び、ガタつき防止を可能とする。撮影機器のように、表示筺体に取り付けられた把持ベルト、あるいはショルダーベルトによって持ち運びする電子機器に効果的である。【選択図】図３
2018194774.tif 000002
【特許請求の範囲】
【請求項１】
本体筺体と表示筺体からなり、本体筺体に対して表示筺体が開閉可能に締結ユニットにより締結された電子機器において、本体筺体、及び、表示筺体に一対の磁石と吸着部品が分かれて組みこまれ、前記表示筺体内では、磁石、あるいは、吸着部品は、表示ユニットの表示部周囲の非表示部に厚み方向に重ねられているとともに、表示筺体が本体筺体に対して閉じた状態で、磁石と吸着部品が所定の空間を離れた平行に対面して配置され、表示筺体が締結された本体筺体の反対側面には、本体筺体を把持する把持部が設けられていることを特徴とする電子機器の表示部保持構造。
【請求項２】
前記表示筺体は矩形となっており、前記表示筺体に組み込まれた前記磁石、あるいは、前記吸着部品は、前記本体筺体との前記締結ユニットの短辺側の開閉回転軸から離れた前記表示筺体の一方の長辺端付近に配置されていることを特徴とする請求項１に記載の電子機器の表示部保持構造。
【請求項３】
前記締結ユニットは、前記表示筺体の前記表示部水平中心に対して少なくとも上下２か所で前記本体筺体に固定する固定部と、少なくとも上下２か所の固定部の内、１か所の近傍で前記表示筺体を前記本体筺体側に付勢する付勢手段と、付勢手段の位置に対して、前記表示筺体のおおよその水平中心を挟んだ反対側の長辺端に前記磁石、あるいは、前記吸着部品が配置されていることを特徴とする請求項１又は請求項２に記載の電子機器の表示部保持構造。
【請求項４】
前記本体筺体に対して前記表示筺体が閉じた状態で前記磁石、あるいは、前記吸着部品は本体筺体樹脂カバー肉厚部と表示筺体樹脂カバーの肉厚部、及び、本体筺体樹脂カバーと表示筺体樹脂カバーの接触時の緩衝部材による所定の空間を持って対面していることを特徴とする請求項１乃至請求項３の何れか一項に記載の電子機器の表示部保持構造。
【請求項５】
前記磁石、あるいは、前記吸着部品が重なって配置されている前記表示ユニットの表示範囲周囲の非表示部内には、表示ユニット光源が配置されていることを特徴とする請求項１乃至請求項４の何れか一項に記載の電子機器の表示部保持構造。
【請求項６】
前記電子機器は本体筺体の把持部に把持ベルト、あるいは、ショルダーベルトが少なくとも一つ装着可能となっている撮影機器であることを特徴とする請求項１乃至請求項５の何れか一項に記載の電子機器の表示部保持構造。
【発明の詳細な説明】
【技術分野】
【０００１】
本発明は、撮影機器に開閉可能に結合されている表示部の本体への保持構造に関する。
【背景技術】
【０００２】
従来、表示部や操作部が、本体部に対して閉じた状態と開いた状態との間で回動可能にヒンジ部によって結合された電子機器において、ヒンジ部は、表示部や操作部を本体部に対して閉じた状態で保持するように付勢する付勢力を発生させた保持構造となっていた。
【０００３】
又、別の電子機器の保持構造として、本体部に検出用と吸着用の２つの磁石と操作部に磁気センサ、及び、吸着部品を配置して、本体部に対して操作部が、検出用の磁石と近接した磁気センサの出力によって閉じた状態を検出するとともに、吸着用の磁石と吸着部品の吸着力で保持される機構が提案されている（特許文献１参照）。
【０００４】
又、別の電子機器の保持構造で、本体部に固定磁石、表示部に可動磁石を配置して、本体部に対して表示部を、固定磁石と可動磁石を吸着させた閉じた状態で保持するとともに、本体部に設けられたつまみの操作により可動磁石を移動させて固定磁石と可動磁石に斥力を発生させて表示部を開く機構が提案されている（特許文献２参照）。
【先行技術文献】
【特許文献】
【０００５】
【特許文献１】特許第５５５２１３５号公報
【特許文献２】特公平８−３２０８８号公報
【発明の概要】
【発明が解決しようとする課題】
【０００６】
しかしながら、上記従来例では、ヒンジ部で回動可能に結合された本体部と表示部、あるいは、操作部は、閉じた状態の両者を一緒に持って携帯する想定の電子機器のため、以下のような問題点があった。
【０００７】
例えば、本体部に対して表示部が閉じた状態で本体部のみを把持するような電子機器として、ビデオカメラのような形態が存在する。ビデオカメラは、本体部の表示部の反対側の側面に把持ベルトを装着し、本体部を把持して使用する。非動作時は表示部を本体部に対して下方に向けて持ち運こぶことが多い。又、本体部の把持部にショルダーベルトを装着して、肩にかけて持ち運んだりする場合にも表示部を本体部に対して下方に向けて持ち運こぶことになる。上記従来例では、そのような携帯方法を想定しておらず、表示部の自重に対してヒンジ部の閉じた状態への付勢力が弱い場合や、本体部、あるいは、表示部に配置された磁石の吸着力が弱い場合、磁石の配置が表示部が閉じた状態を保持するための目的として適していないことが想定される。このような場合、前記ビデオカメラを持ち運ぶときに、本体部に対して表示部が自重によって開いた状態となってしまい、周囲の人や物にぶつかって不快感を与えたり、表示部を破壊したりするおそれがあった。
【０００８】
前記のような本体部に対する表示部の意図しない開いた状態を回避するため、磁石の磁力を強くしたり、ヒンジ部の閉じた状態への付勢力を大きくすると、表示部、あるいは、本体部が大型化したり、性能の高い磁石を使用してコストアップになっていた。
【課題を解決するための手段】
【０００９】
上記の課題を解決するために、本出願の第１の発明は、本体筺体と表示筺体からなり、本体筺体に対して表示筺体が開閉可能に締結ユニットにより締結された電子機器において、本体筺体、及び、表示筺体に一対の磁石と吸着部品が分かれて組みこまれ、前記表示筺体内では、磁石、あるいは、吸着部品は、表示ユニットの表示部周囲の非表示部に厚み方向に重ねられているとともに、表示筺体が本体筺体に対して閉じた状態で、磁石と吸着部品が所定の空間を離れた略平行に対面して配置され、表示筺体が締結された本体筺体の反対側面には、本体筺体を把持する把持部が設けられていることを特徴としている。
【００１０】
また、本出願の第２の発明は、前記表示筺体は略矩形となっており、前記表示筺体に組み込まれた前記磁石、あるいは、前記吸着部品は、前記本体筺体との前記締結ユニットの短辺側の開閉回転軸から離れた前記表示筺体の一方の長辺端付近に配置されていることを特徴としている。
【００１１】
また、本出願の第３の発明は、前記締結ユニットは、前記表示筺体のおおよその水平中心に対して少なくとも上下２か所で前記本体筺体に固定する固定部と、少なくとも上下２か所の固定部の内、１か所の近傍で前記表示筺体を前記本体筺体側に付勢する付勢手段と、付勢手段の位置に対して、前記表示筺体の前記表示ユニットの表示部水平中心を挟んだ反対側の長辺端に前記磁石、あるいは、前記吸着部品が配置されていることを特徴としている。
【００１２】
また、本出願の第４の発明は、前記本体筺体に対して前記表示筺体が閉じた状態で前記磁石、あるいは、前記吸着部品は本体筺体樹脂カバー肉厚部と表示筺体樹脂カバーの肉厚部、及び、本体筺体樹脂カバーと表示筺体樹脂カバーの接触時の緩衝部材による所定の空間を持って対面していることを特徴としている。
【００１３】
また、本出願の第５の発明は、前記磁石、あるいは、前記吸着部品が重なって配置されている前記表示ユニットの表示範囲周囲の非表示部内には、表示ユニット光源が配置されていることを特徴としている。
【００１４】
また、本出願の第６の発明は、前記電子機器は本体筺体の把持部に把持ベルト、あるいは、ショルダーベルトが少なくとも一つ装着可能となっている撮影機器であることを特徴としている。
【発明の効果】
【００１５】
以上説明したように、本出願の発明によれば、表示筺体を本体筺体に対して閉じた状態で保持する一対の磁石と吸着部品を、本体筺体、及び、表示筺体を大型化せずに組みこむことができる。
【００１６】
又、本体筺体、及び、表示筺体に組み込む一対の磁石と吸着部品の保持力を効果的に得られるように配置し、磁石の磁力を効率よく使用してコストアップを防ぐことができる。
【００１７】
又、本体筺体、及び、表示筺体の閉じた状態をより安定させることができる。
【００１８】
又、本体筺体を把持する把持ベルト、あるいはショルダーベルトを使用して、持ち運びをする機会が多い撮影機器において、上記のような効果がより発揮される。
【図面の簡単な説明】
【００１９】
【図１】本発明の表示部保持構造を組み込んだ電子機器である撮影機器本体の斜視図
【図２】本発明の表示部保持構造の配置を説明する図
【図３】本発明の主要な部品を表示した概略図
【図４】本発明の表示部保持構造の締結ユニットの詳細図
【発明を実施するための形態】
【００２０】
以下、本発明を実施するための形態について、図面を参照しながら説明する。
【００２１】
＜第１の実施形態＞
図１〜図４は、本発明を示す図である。図１は、本発明の表示部保持構造を組み込んだ電子機器である撮影機器本体の斜視図であり、図１（ａ）は、表示部を閉じた状態を示し、表示面が本体筺体に対して対面している。図１（ｂ）は、表示部を本体筺体に対して略９０°開いた状態を示しており、撮影機器使用者が表示面を目視できる。図２は、本発明の表示部保持構造の配置を説明する図で、図２（ａ）は撮影機器を表示筺体を正面視した側面図、図２（ｂ）は、図２（ａ）の図中指示Ａ−Ａ部の断面図である。図２（ｃ）は図２（ｂ）の図中指示Ｂ部の拡大図である。図３は、本発明の主要な部品を表示した概略図で、図３（ａ）は表示筺体２を正面視した図、図３（ｂ）は、展開斜視図である。図４（ａ）、図４（ｂ）は本発明の表示部保持構造の締結ユニットの詳細図である。
【００２２】
図中、１は本体筺体、２は表示筺体で表示面を正面視した状態で略矩形形状をしており、３は、撮影レンズ、４は、撮影機器本体の電源をＯＮ／ＯＦＦする電源つまみ、５は、本体筺体１を手のひらで把持するときに手の甲を支える把持ベルトである。
【００２３】
６は、本体筺体１内に設置された磁石であり、表示筺体２との対面側の本体筺体１の本体樹脂カバー７内側に取り付けられている。磁石６の背面側には、磁力強化のための背面金属板８が配置されている。９は、本体樹脂カバー７の表示筺体２と対面する外観面に固定されたクッションで、上下２か所に設けられており、表示筺体２が本体筺体１に対して閉じた時に、表示筺体２と突き当って衝撃を緩和させる。
【００２４】
１０は、表示筺体２内に設置された吸着部品である金属板で、本体筺体１との対面側の表示筺体２の表示樹脂カバー１１の内側に取り付けられている。金属板１０の背面側には、表示ユニット１２が配置されている。表示ユニット１２は短辺幅Ｃ、長辺幅Ｄの表示範囲１２ａを有している。表示範囲１２ａの周囲には非表示範囲１２ｂが設けられている。表示ユニット１２の水平中心１２ｃの下方に位置する非表示範囲１２ｂの下非表示幅Ｅの内部にはＬＥＤ光源が配置され、表示範囲１２ａを照明している。
【００２５】
図２、図３で示すように、金属板１０は上下幅Ｇが非表示範囲１２ｂの下非表示幅Ｅの重なり量Ｆと表示樹脂カバー１１の表示ユニット規制壁１１ａの肉厚を合わせた範囲内で重なっている。又、表示筺体２の長手方向では、図３（ａ）で示すように金属板１０は、非表示範囲１２ｂと全幅で重なっている。このように金属板１０を配置したことによって、表示筺体２は表示面を正面視した投影状態で大型化してはいない。図２（ｃ）で、本体筺体１と表示筺体２は隙間Ｈをはさんで、磁石６と金属板１０が略平行に対面している。隙間Ｈは、本体樹脂カバー７に固定されたクッション９によって形成されている。
【００２６】
１３は締結ユニットであり、締結ユニット１３には、本体筺体１の内面に固定するための上本体固定部１３ａ、下本体固定部１３ｂが図中、上方、及び、下方に設けられ、本体樹脂カバー７の内側の不図示の固定部に固定される。
【００２７】
締結ユニット１３の上本体固定部１３ａと下本体固定部１３ｂの間には開閉部１３ｃが、上回転軸１３ｄ、下回転軸１３ｅによって開閉可能に支持されている。開閉部１３ｃの上本体固定部１３ａ側には、開閉トルク発生部１３ｆが設けられ、上本体固定部１３ａと開閉部１３ｃの間に開閉トルクを発生させている。開閉部１３ｃの下本体固定部１３ｂ側には、開閉トルクは加えられておらず、下本体固定部１３ｂと開閉部１３ｃは下回転軸１３ｅで無負荷で開閉自在に結合している。
【００２８】
上本体固定部１３ａと開閉部１３ｃは、表示ユニット１２の水平中心１２ｃより上方に位置し、下本体固定部１３ｂは、表示ユニット１２の水平中心１２ｃより下方に位置している。本体樹脂カバー７内面に固定された締結ユニット１３は、表示筺体固定部１３ｇが、本体樹脂カバー７の開口７ａから本体樹脂カバー７の外部に露出して表示筺体２の短辺側と固定される。表示筺体固定部１３ｇと固定された表示筺体２は、開閉部１３ｃと開閉方向で一体に作動するため、開閉部１３ｃに加えられた開閉トルクは表示筺体固定部１３ｇを介して表示筺体２を閉じる方向に作用している。１４は、表示筺体２の本体筺体１と非対面側の表示筺体樹脂カバー、１５は表示ユニット１２の保護ガラスである。
【００２９】
金属板１０は、略矩形形状の表示筺体２の図中、ほぼ下長辺端の締結ユニット１３から離れた距離Ｊの位置に配置されている。磁石６と金属板１０の吸着による表示筺体２が本体筺体１に対する閉じる方向の力は、表示筺体２の開閉回転中心である締結ユニット１３の上回転軸１３ｄ、下回転軸１３ｅから金属板１０までの距離Ｊと、磁石６と金属板１０による吸着力の積による開閉トルクにより決まる。そのため、距離Ｊが長いほど、表示筺体２に加わる開閉トルクが高くなり、金属板１０を表示筺体２の長辺端に配置することで保持力を高くできる。
【００３０】
次に、締結ユニット１３の開閉トルク発生部１３ｆは上本体固定部１３ａ近傍で上本体固定部１３ａと開閉部１３ｃとの間で開閉トルクを付勢するように構成されている。そのため、表示筺体２が閉じた状態に付勢されたときも、上本体固定部１３ａ、開閉部１３ｃ、上回転軸１３ｄの間の部品嵌合公差によるガタも同時に片寄せされ、表示筺体２の上長辺側では本体筺体１とガタつきは無くなる。それに対して、下本体固定部１３ｂ、開閉部１３ｃ間では、開閉トルクが付与されていないため、下本体固定部１３ｂ、開閉部１３ｃ、下回転軸１３ｅの３者の部品間の部品嵌合公差によるガタは片寄せされず、表示筺体２の下長辺側では本体筺体１とのガタつきを持ってしまう。この時、表示筺体２の金属板１０と本体筺体１の磁石６が吸着していることで表示筺体２は本体筺体１とのガタが吸収され、表示筺体２と本体筺体１間の下方でのガタつきも無くなる。
【００３１】
以上、本発明をその好適な実施形態に基づいて詳述してきたが、本発明はこれら特定の実施形態に限られるものではなく、例えば、本実施例では磁石６は本体筺体１に、金属板１０は表示筺体２に組み込まれていたが、逆に組み込むことも可能である。又、金属板１０は、磁石６と引き合う金属部品でも、自身が磁石でも構わない。実施例では、把持ベルト５を使用していたが、ショルダーベルトを使用しても同様の効果が得られる。その他にも、この発明の要旨を逸脱しない範囲の様々な形態も本発明に含まれる。上述の実施形態の一部を適宜組み合わせてもよい。
【符号の説明】
【００３２】
１  本体筺体、２  表示筺体、５  把持ベルト、６  磁石、７  本体樹脂カバー、
９  クッション、１０  金属板、１１  表示樹脂カバー、１２  表示ユニット、
１２ａ  表示範囲、１２ｂ  非表示範囲、１２ｃ  水平中心、１３  締結ユニット、
１３ａ  上本体固定部、１３ｂ  下本体固定部、１３ｃ  開閉部、１３ｄ  上回転軸、
１３ｅ  下回転軸、１３ｆ  開閉トルク発生部、１３ｇ  表示筺体固定部
【図１】
2018194774.tif 000003
【図２】
2018194774.tif 000004
【図３】
2018194774.tif 000005
【図４】
2018194774.tif 000006